(57)【要約】【課題】素早くかつ容易な作業で、内部を分画しているクリップの脱落を、確実に防止することのできるスパウト付きパウチを提供することを目的としている。【解決手段】スパウト２が貼着されたパウチ１の一端部と反対側の他端部の間の略中央部に、このパウチ１を表側および裏側から挟み込むクリップ３を配設するとともに、このクリップ３の長手方向両端部に、クリップ３を構成するパイプ状の係合部材３ａと爪部３ｂ，３ｂを有する係合基体３ｃとの嵌め合いを固定するＵ字ピン４，４を、クリップの端部の外側方向からそれぞれ挿入する。【選択図】図１
0003128389.tif 000002
【実用新案登録請求の範囲】
【請求項１】
２枚のフィルム材料を袋状に形成してなるパウチと、このパウチの長手方向一端部に貼着されたスパウトとからなるスパウト付きパウチにおいて、
前記パウチの一端部と反対側に位置する他端部の間の中間部に、このパウチの幅よりも長い形状でかつ互いに係合する２つの部材からなるクリップが、パウチの表側および裏側から嵌め合わせて配置されているとともに、このクリップの長手方向両端部に、前記２つの係合部材の嵌め合いを係止するＵ字状のピンが、これら端部の外側方向からそれぞれ嵌め入れられていることを特徴とするスパウト付きパウチ。
【考案の詳細な説明】
【技術分野】
【０００１】
本考案は、接着剤およびシーリング材等、使用直前に混合する必要のある２つの成分を、使用前にはこれらを離間させて保管するとともに、使用時にはこれらを容易に混合・押出しすることのできるスパウト付きパウチに関する。
【背景技術】
【０００２】
一般に、屋外や強固な接着力が要求される場所においては、エポキシ樹脂系やウレタン樹脂系等の反応形の接着剤やシーリング材が多用されている。
【０００３】
これら２液式の接着剤の容器として、本出願人らは、従来のカートリッジに比して、空の容器の処理が容易でその処理コストを大幅に削減することができ、しかも、使用に際しては従来と同等の作業性のもとに内容物を押出すことのできる容器（スパウト付きパウチ）を提案している（特開２００３−１６０１８２号，特開２００５−１７４４号等を参照）。
【０００４】
また、本出願人らは、接着剤等の反応性を有する２成分を、使用前にはこれらを離間させて保管するとともに、使用時にはこれらを容易かつ安全に混合・押出しすることができるスパウト付きパウチを提案している。（特願２００６−９１６３６号を参照）。
【０００５】
図３は、本出願人らによる従来のスパウト付きパウチの使用前の状態を表す斜視図である。
【０００６】
このスパウト付きパウチ１０は、例えば、主剤と硬化剤からなるエポキシ樹脂系接着剤を混合・施工するためのものであり、透明あるいは半透明な２枚のフィルム素材を用いて、その一端部（底部）が船底形の袋体に形成されたパウチ１と、このパウチ１の一端部に貼着されたスパウト（押出口基体）２とから形成されている。
【０００７】
また、スパウト２が貼着されたパウチ１の一端部と反対側の他端部の間の略中央部には、このパウチ１を表側および裏側から挟み込む仕切り部材（クリップ３）が配設されている。このクリップ３は、パウチ１の幅より長いパイプ状の係合部材３ａと、係合部材３ａとほぼ同等の長さで、かつ、この係合部材３ａをぴったりと嵌め入れることのできる爪部３ｂ，３ｂを有する係合基体３ｃとからなり、爪部３ｂ，３ｂの内周面は、係合部材３ａの外周面に沿った形状に形成されている。
【０００８】
なお、このクリップ３は、パウチ１を構成する２枚のフィルム部材を密着させ、このパウチ１の内部を２室（Ａ室，Ｂ室）に区画しているとともに、これら各Ａ室およびＢ室には、接着剤等の第１成分（主剤：Ａ液）および第２成分（硬化剤：Ｂ液）が、それぞれ所定量充填・封入されている。
【考案の開示】
【考案が解決しようとする課題】
【０００９】
ところで、以上のようなスパウト付きパウチにおいては、パウチ１の内部を分画しているクリップ３が、輸送中等の過大な荷重により外れてしまうことがあった。
【００１０】
そこで、その対策として、クリップ３におけるパウチ１より幅方向に突出する部位（両端部）に輪ゴムなどを配設し、パイプ状の係合部材３ａと係合基体３ｃとを締め付けて固定する方法等も考えられるが、作業が煩雑で時間がかかり、生産効率が低下してしまうという問題があった。
【００１１】
本考案は、このような実情に鑑みてなされたものであり、素早くかつ容易な作業で、内部を分画しているクリップの脱落を、確実に防止することのできるスパウト付きパウチを提供することを目的としている。
【課題を解決するための手段】
【００１２】
前記の目的を達成するために、請求項１に記載の考案は、２枚のフィルム材料を袋状に形成してなるパウチと、このパウチの長手方向一端部に貼着されたスパウトとからなるスパウト付きパウチにおいて、前記パウチの一端部と反対側に位置する他端部の間の中間部に、このパウチの幅よりも長い形状でかつ互いに係合する２つの部材からなるクリップが、パウチの表側および裏側から嵌め合わせて配置されているとともに、このクリップの長手方向両端部に、前記２つの係合部材の嵌め合いを係止するＵ字状のピンが、これら端部の外側方向からそれぞれ嵌め入れられていることを特徴とする。
【考案の効果】
【００１３】
本考案の請求項１に係るスパウト付きパウチによれば、パウチを表側および裏側から挟み込んで２枚のフィルム部材を密着させて該パウチの内部を２室に区画するクリップの端部に、クリップを構成する２つの係合部材を締め付けるＵ字状（あるいはヘアピン状）のピンを挿入することによって、梱包や輸送中等、使用前に不用意な荷重がかかった場合でも、クリップの係合（嵌め合い）の解除を確実に防止することができる。
【００１４】
また、このＵ字状のピンは、クリップの各端部に外側方向から挿入するだけで、クリップを構成する２つの部材を容易に固定することができるとともに、このピンの挿入作業は熟練を要せず、誰が行っても、ピンを同じ位置や深さに素早く挿入することが可能である。従って、本考案のスパウト付きパウチは、作業工数の増加が少なく、最小限のコストで、内部を分画しているクリップの脱落を防止できるようになる。
【００１５】
なお、これらクリップやピンを構成する材料は特に限定されたものではなく、金属製、樹脂製等の汎用品を用いることができる。
【考案を実施するための最良の形態】
【００１６】
以下、図面を参照しつつこの考案を実施するための形態について説明する。
図１および図２は、本考案の実施形態におけるスパウト付きパウチの構成を表す斜視図であり、図１はクリップで内部を２室に区画した状態のスパウト付きパウチ、図２はＵ字ピンでクリップを固定した後の使用前のスパウト付きパウチの状態を示す図である。なお、従来例と同様の機能を有する構成部材には、同じ符号を付記する。
【００１７】
本実施形態におけるスパウト付きパウチ１０は、主剤と硬化剤からなるエポキシ樹脂系接着剤を混合・施工するためのものであり、従来例と同様、その一端部（底部）が船底形の袋体に形成されたパウチ１と、このパウチ１の一方の端面に貼着されたスパウト（押出口基体）２とから形成されている。
【００１８】
パウチ１は、透明あるいは半透明なフィルム素材から構成されており、柔軟性を有する。なお、本実施形態においては、単層の樹脂フィルムからなるシンプルな構成を例示したが、各種のガスの侵入を防ぐ性質が求められる場合は、このフィルム素材を、数種類のフィルムをラミネートした複合素材（積層フィルム等）で構成しても良い。
【００１９】
また、スパウト２は、外周面に雄ねじが形成された筒体の一端に、フランジ部が形成された構造を有し、このフランジ部の一面（裏面）が、前記のパウチ１の端面に対して貼着される。なお、使用時には、このスパウト２の外周面に設けられた雄ねじに、押出し用ノズル等が取り付けられる。
【００２０】
本実施形態におけるスパウト付きパウチ１０の特徴は、スパウト２が貼着されたパウチ１の一端部と反対側の他端部の間の略中央部に、このパウチ１を表側および裏側から挟み込むクリップ３が配設されているとともに、このクリップ３の長手方向両端部に、クリップ３を構成するパイプ状の係合部材３ａと爪部３ｂ，３ｂを有する係合基体３ｃとの嵌め合いを固定するＵ字ピン４，４が、それぞれ挿入されている点である。
【００２１】
このＵ字ピン４は、一端部が略Ｕ字状に屈曲し、他端側が長手方向外側に向かって開口する、いわゆるヘアピン形状であり、樹脂を用いて形成されている。また、このＵ字ピン４の内側面には、滑り止めとなる突起が複数形成されている。
【００２２】
なお、Ｕ字ピン４の開口幅は、挿入される部位（係合部材３ａと係合基体３ｃとが重なる部分）を考慮した間隙に形成されており、クリップ３の各端部に、外側方向から容易に挿入することができる。また、このＵ字ピン４は、屈曲部が突き当たる奥まで嵌め入れることにより、誰が行っても、ピンを同じ位置や深さに素早く挿入することが可能である。
【００２３】
以上の構成により、本実施形態におけるスパウト付きパウチ１０は、内部を分画しているクリップ３の係合（嵌め合い）の解除を確実に防止することができる。従って、梱包や輸送中等に荷重がかかった場合でも、内部に離間させて保持している２つの反応性成分が、使用前に混合してしまう恐れがない。
【００２４】
本考案は、例示したような接着剤やシーリング材等のみならず、反応性を有する２成分を、使用前にはこれらを離間させて保管するとともに、これらを使用直前に混合・押出しする作業を行なうスパウト付きパウチに、広く適用することができる。
【図面の簡単な説明】
【００２５】
【図１】本考案の実施形態におけるスパウト付きパウチの構成を表す斜視図である。
【図２】本考案の実施形態におけるスパウト付きパウチの使用前の状態表す斜視図である。
【図３】従来のスパウト付きパウチの使用前の状態を表す斜視図である。
【符号の説明】
【００２６】
１  パウチ
２  スパウト
３  クリップ
３ａ  係合部材      ３ｂ  爪部      ３ｃ  係合基体
４  Ｕ字ピン
１０  スパウト付きパウチ
【図１】
0003128389.tif 000003
【図２】
0003128389.tif 000004
【図３】
0003128389.tif 000005